(57)【特許請求の範囲】
【請求項１】
容器本体（１）の内側に、開口部（４）の内周面から容器本体（１）の一側部の内壁に沿って容器本体（１）の下端部の近くまで延び、そこからＵ字状に屈曲した屈曲部（５ａ）を形成したガイド溝（５）を設け、このガイド溝（５）に、一端を、棒状固形物（Ｂ）を支持する支持筒（９）の下端に連結し、他端にシャッター部（１０）を設けた可撓性ベルト（２）を摺動自在に係合させ、この可撓性ベルト（２）の支持筒（９）とシャッター部（１０）との間に、前記ガイド溝（５）に貫通する細長孔（６）より突出する操作体（１１）を突設し、さらに前記容器本体（１）に、前記支持筒（９）を嵌め込んだ状態でこの支持筒（９）を上下に摺動自在とし、上端が開口部（４）の近くに至るようにした充填筒（３）を内装したものとし、前記操作体（１１）を上下動させることにより、可撓性ベルト（２）を摺動させ、シャッター部（１０）で開口部（４）を開閉して棒状固形物（Ｂ）を出没させるようにした棒状固形物繰出し容器であって、前記容器本体（１）の下部に出張り部（７）を設けたものとし、この出張り部（７）の内壁に沿って前記ガイド溝（５）のＵ字状に屈曲した屈曲部（５ａ）を形成したことを特徴とする棒状固形物繰出し容器。
【発明の詳細な説明】
【技術分野】
【０００１】
この発明は、スティックタイプのリップクリームや口紅、固形糊などの棒状固形物の繰出し容器に関するものである。
【背景技術】
【０００２】
従来、この種の棒状固形物繰出し容器は、上端に開口を有する二つ割りの容器本体に、一端にリップクリームなどの棒状固形物を保持した支持筒を設け、他端にシャッターを設けたベルトをＵ字状に内装し、ベルトを摺動操作することによりシャッターで開口を開閉して棒状固形物を出没させるようにしたものが存在する。
【０００３】
具体的には、前記棒状固形物繰出し容器として、図８、９に示したような構造としたものが存在する。この棒状固形物繰出し容器は、容器本体２１の内側に、開口部２２の内周面から容器本体２１の一側の内壁に沿って容器本体２１の下端部の近くまで延び、そこからＵ字状に屈曲して、前記開口部２２の近くまで延びるガイド溝２３を形成している。さらに、このガイド溝２３に、一端を、リップクリームなどの棒状固形物Ｂを支持する支持筒２４の下端の中央部に連結し、他端をシャッター部２５とした可撓性ベルト２６を摺動自在に係合させている。また、この可撓性ベルト２６の中間部に容器本体２１の内壁面に沿って形成され、前記ガイド溝２３に貫通する細長孔２７より突出する操作体２８を突設している。そして、この操作体２８を上下動させることにより、可撓性ベルト２６を摺動させ、シャッター部２５で開口部２２を開閉して棒状固形物Ｂを出没させるようにしている（特許文献１）。
【０００４】
さらに、前記棒状固形物繰出し容器として、図１０、１１に示したような構造としたものが存在する。この棒状固形物繰出し容器は、二つ割り部材３１ａ、３１ａからなる容器本体３１と、一端に開口開閉用のシャッター部３２を有し、その近くには操作体３３を一体に有し、他端にはリップクリームなどの棒状固形物Ｂを取り付ける支持筒３４を有する可撓性ベルト３５とからなる。前記容器本体３１には、上端に棒状固形物Ｂの出没用の開口部３６を設け、側面には二つ割り部材３１ａ、３１ａの合わせ面に沿って前記操作体３３を突出させるための切欠き３７をそれぞれ設けている。さらに、前記容器本体３１には、内側下部に前記可撓性ベルト３５をＵターンさせるための半円弧状の曲率ガイド溝３８を設けたものとしている。そして、前記操作体３３を上下動させることにより、可撓性ベルト３５を摺動させ、シャッター部３２で開口部３６を開閉して棒状固形物Ｂを出没させるようにしている（特許文献２）。
【０００５】
このように構成した従来の棒状固形物繰出し容器は、容器本体を片手で持ちながら、その手の指先で操作体を操作することでリップクリームなどの棒状固形物Ｂを出没させることができ、キャップなどの部品を省略できる点でメリットがあるとしている。
【先行技術文献】
【特許文献】
【０００６】
【特許文献１】実開昭５８−１１２２１４号公報（図１、図３）
【特許文献２】特開平１０−２９５４４３号公報（図１、図４）
【発明の概要】
【発明が解決しようとする課題】
【０００７】
この種の棒状固形物繰出し容器の製造工程において、従来では前記リップクリームなどの棒状固形物Ｂは、別に成形型で成形固化したものを、棒状固形物繰出し容器の支持筒２４、３４内に差し込むことにより、この支持筒２４、３４に取り付けていた。
【０００８】
ところで、前記棒状固形物Ｂを別に成形型で成形固化するには、この棒状固形物Ｂを成形固化するためのラインが必要であり、製造工程も余分に必要となる。
【０００９】
そこで、棒状固形物繰出し容器の製造工程において、溶融状態の棒状固形物原料を容器本体に直接、充填して、この容器本体内で棒状固形物Ｂに成形固化すれば、棒状固形物Ｂを成形固化するための別のラインが不要となり、製造工程も短縮でき、製造コストが低減できることになる。
【００１０】
しかしながら、従来の棒状固形物繰出し容器は、開口部から溶融状態の棒状固形物原料を容器本体に直接、充填しようとしても、容器本体２１の細長孔２７や、容器本体３１の切欠き３７などから漏れ出てしまい、容器本体内で棒状固形物に成形固化することができない。
【００１１】
そのため、従来の棒状固形物繰出し容器は、前記棒状固形物Ｂを成形固化するために別ラインが必要であり、製造工程も余分に必要となり、製造コストが高くなるという問題点を有していた。
【００１２】
さらに、従来の棒状固形物繰出し容器では、前記可撓性ベルトを容器本体内でＵ字状に屈曲させているが、この可撓性ベルトの屈曲部の曲率半径が小さいので、可撓性ベルトを摺動させにくく、手の指先に力をいれて操作ボタンを強い力で操作しないと、シャッター部で開口部を開閉したり、棒状固形物Ｂを出没させることができない。
【００１３】
そのため、従来の棒状固形物繰出し容器では、前記操作体を強い力で操作するため、その操作が行い難かったり、操作体と可撓性ベルトの結合が外れるなどして、操作体が破損してしまうという問題点を有していた。
【００１４】
そこで、この発明は、従来の問題点を解決するものであり、溶融状態の棒状固形物原料を容器本体に直接、充填して、この容器本体内で棒状固形物に成形固化することができ、棒状固形物を成形固化するための別のラインが不要となり、製造工程も短縮でき、製造コストが低減できる棒状固形物繰出し容器を提供することを目的としてなされたものである。
【００１５】
さらに、この発明は、前記可撓性ベルトの屈曲部の曲率半径を大きくし、可撓性ベルトを摺動させやすくし、操作体を強い力で操作しなくても、スムーズにシャッター部で開口部を開閉したり、棒状固形物を出没させることができ、操作体が破損してしまうようなことがなく、耐久性に優れた棒状固形物繰出し容器を提供することを目的としてなされたものである。
【課題を解決するための手段】
【００１６】
そのため、この発明の棒状固形物繰出し容器は、容器本体１の内側に、開口部４の内周面から容器本体１の一側部の内壁に沿って容器本体１の下端部の近くまで延び、そこからＵ字状に屈曲した屈曲部５ａを形成したガイド溝５を設け、このガイド溝５に、一端を、棒状固形物Ｂを支持する支持筒９の下端に連結し、他端にシャッター部１０を設けた可撓性ベルト２を摺動自在に係合させ、この可撓性ベルト２の支持筒９とシャッター部１０との間に、前記ガイド溝５に貫通する細長孔６より突出する操作体１１を突設し、さらに前記容器本体１に、前記支持筒９を嵌め込んだ状態でこの支持筒９を上下に摺動自在とし、上端が開口部４の近くに至るようにした充填筒３を内装したものとし、前記操作体１１を上下動させることにより、可撓性ベルト２を摺動させ、シャッター部１０で開口部４を開閉して棒状固形物Ｂを出没させるようにし、前記容器本体１の下部に出張り部７を設けたものとし、この出張り部７の内壁に沿って前記ガイド溝５のＵ字状に屈曲した屈曲部５ａを形成している。
【発明の効果】
【００２０】
この発明の棒状固形物繰出し容器は、以上に述べたように構成されているので、溶融状態の棒状固形物原料を容器本体の充填筒に直接、充填して、この充填筒内で棒状固形物に成形固化することができるものとなり、棒状固形物を成形固化するための別のラインが不要となり、製造工程も短縮でき、製造コストが低減できるものとなった。
【００２１】
さらに、この発明の棒状固形物繰出し容器は、可撓性ベルトの屈曲部の曲率半径が大きくなり、可撓性ベルトが摺動させやすくなり、操作体を強い力で操作しなくても、スムーズにシャッター部で開口部を開閉したり、棒状固形物を出没させることができるので、操作体が破損してしまうようなことがなく、耐久性に優れたものとなった。
【図面の簡単な説明】
【００２２】
【図１】この発明の棒状固形物繰出し容器の斜視図である。
【図２】この発明の棒状固形物繰出し容器の分解斜視図である。
【図３】この発明の棒状固形物繰出し容器の平面図である。
【図４】この発明の棒状固形物繰出し容器の図３中のＡ−Ａ線による断面図である。
【図５】この発明の棒状固形物繰出し容器の正面図である。
【図６】この発明の棒状固形物繰出し容器の図５中のＢ−Ｂ線による断面図である。
【図７】この発明の棒状固形物繰出し容器の使用状態を示す断面図である。
【図８】従来の棒状固形物繰出し容器の一例の斜視図である。
【図９】図８に示す従来の棒状固形物繰出し容器の断面図である。
【図１０】従来の棒状固形物繰出し容器の他の例の分解斜視図である。
【図１１】図１０に示す従来の棒状固形物繰出し容器の断面図である。
【発明を実施するための形態】
【００２３】
以下、この発明の棒状固形物繰出し容器を実施するための形態を、図面に基づいて詳細に説明する。
【００２４】
この発明の棒状固形物繰出し容器は、図１〜６に示すように、二つ割り部材１ａ、１ａからなる有底の円筒状とした容器本体１と、長尺の帯状とした可撓性ベルト２と、前記容器本体１内に内装可能な円筒状とした充填筒３とから構成されている。
【００２５】
容器本体１は、上端の開口部４の内周面から、一側部の内壁に沿って下端部の近くまで延び、そこからＵ字状に屈曲した屈曲部５ａを形成したガイド溝５を内側に設けている。そして、容器本体１には、内壁面に沿って前記ガイド溝５に貫通する細長孔６が形成されている。さらに、容器本体１の下部に出張り部７を設けたものとし、この出張り部７の内壁に沿って前記ガイド溝５のＵ字状に屈曲した屈曲部５ａを形成することにより、この屈曲部５ａの曲率半径を大きくしたものとしている。なお、前記出張り部７は、前記屈曲部５ａの曲率半径が１. ５〜２. ０倍程度、大きくなるように、容器本体１の側面幅方向に出っ張らせたものとしている。また、前記容器本体１と出張り部７の間には、操作時などに手指を引っ掛けて、操作をし易くすることができる通孔８を設けたものとしている。
【００２６】
可撓性ベルト２は、一端を、棒状固形物Ｂを支持する有底の円筒状とした支持筒９の下端に連結し、他端にシャッター部１０を設けたものとしており、前記容器本体１のガイド溝５に、摺動自在に係合させている。さらに、この可撓性ベルト２の支持筒９とシャッター部１０との間には、前記ガイド溝５に貫通する細長孔６より突出する操作体１１を突設している。前記シャッター部１０は、図示したように可撓性ベルト２に一体成形したものとしてもよいが、可撓性ベルト２とは別体として形成し、適当な連結手段によって連結したものとしてもよい。また、前記操作体１１は、図示したように可撓性ベルト２とは別体として形成し、可撓性ベルト２に設けた嵌合孔２ａに嵌め込んで連結したものとしてもよいが、可撓性ベルト２に一体成形したものとしてもよい。
【００２７】
充填筒３は、前記支持筒９を嵌め込んだ状態でこの支持筒９を上下に摺動自在とし、上端が前記容器本体１の開口部４の近くに至ると共に、下端が前記容器本体１の下端の近くに至るようにして、この容器本体１に内装したものとしている。なお、前記支持筒９の外周に縦リブ９ａを設け、この縦リブ９ａの摺動溝３ａを前記充填筒３の内周に設けたものとすることにより、前記支持筒９を嵌め込んだ状態でこの支持筒９が振れずに上下に摺動自在となるようにしている。
【００２８】
棒状固形物Ｂは、前記したようにスティックタイプのリップクリームや口紅、固形糊などとすることができる。この棒状固形物Ｂを支持筒９に支持させるには、固形化した後のものを支持筒９に差し込んでもよいが、溶融状態の棒状固形物原料を充填筒３に充填することにより、支持筒９に支持させることができる。すなわち、容器本体１の開口部４を開閉するシャッター部１０を半開または全開にして、支持筒９が充填筒３の下方に位置している状態において、容器本体１の開口部４から溶融状態の棒状固形物原料を充填筒３にほぼ満杯に充填して、この充填筒３内で棒状固形物に成形固化することにより、支持筒９に支持させたものとすることができる。
【００２９】
そして、この発明の棒状固形物繰出し容器は、前記操作体１１を上下動させることにより、可撓性ベルト２を摺動させ、シャッター部１０で開口部４を開閉して棒状固形物Ｂを出没させることができる。すなわち、前記操作体１１を上方向に動かせば、可撓性ベルト２がガイド溝５を上方向に摺動し、シャッター部１０が上方向に動き、シャッター部１０で開口部４が閉じられると共に、棒状固形物Ｂを容器本体１内に没入させることができる。また、前記操作体１１を下方向に動かせば、可撓性ベルト２がガイド溝５を下方向に摺動し、シャッター部１０が下方向に動き、開口部４が開かれると共に、この開口部４から棒状固形物Ｂを突出させることができる。
【００３０】
この場合、前記ガイド溝５に形成したＵ字状の屈曲部５ａは、曲率半径を大きくしたものとしているので、この屈曲部５ａを可撓性ベルト２が摺動するときにも摩擦抵抗が小さく、摺動しやすいものとなるので、操作体１１を強い力で操作しなくても、スムーズにシャッター部１０で開口部４を開閉したり、棒状固形物Ｂを出没させることができる。
【００３１】
したがって、この発明の棒状固形物繰出し容器は、棒状固形物Ｂを成形固化するための別のラインが不要となり、製造工程も短縮でき、製造コストが低減できるものとなり、さらに操作体を強い力で操作しなくてもよいので、操作体が破損してしまうようなことがなく、耐久性に優れたものとなる。
【符号の説明】
【００３２】
１  容器本体
２  可撓性ベルト
３  充填筒
３ａ  摺動溝
４  開口部
５  ガイド溝
５ａ  屈曲部
６  細長孔
７  出張り部
９  支持筒
９ａ  縦リブ
１０  シャッター部
１１  操作体
Ｂ  棒状固形物
【図１】
0005440762.tif 000002
【図２】
0005440762.tif 000003
【図３】
0005440762.tif 000004
【図４】
0005440762.tif 000005
【図５】
0005440762.tif 000006
【図６】
0005440762.tif 000007
【図７】
0005440762.tif 000008
【図８】
0005440762.tif 000009
【図９】
0005440762.tif 000010
【図１０】
0005440762.tif 000011
【図１１】
0005440762.tif 000012